(57)【要約】【課題】メダルの保管状態から該メダルを直接手にとって表裏面を眺めること及び首掛け用リボンにより首に掛けることが容易にできるとともに、メダルに埃が付着しにくく落下物等によりメダルが損傷しにくい、メダル載置部を備えた置物を得る。【解決手段】置物１の本体２に、前後方向に貫通する貫通穴５を設け、貫通穴５の下側の内壁面５Ｄを前側Ｆが低くなるように傾斜する傾斜面ＳＬとし、傾斜面ＳＬを、メダル１１の背面１１Ｒが当接した状態で該メダル１１が載置されるメダル載置部６とし、メダル１１のずり落ちを規制するように、メダル載置部６の前側にメダル１１の下端を当止する当止部７を設けた。【選択図】図４
0003123845.tif 000002
【実用新案登録請求の範囲】
【請求項１】
本体の前後方向に貫通する貫通穴を設け、該貫通穴の下側の内壁面を前側が低くなるように傾斜する傾斜面とし、該傾斜面を、メダルの背面が当接した状態で該メダルが載置されるメダル載置部となした、メダル載置部を備えた置物。
【請求項２】
前記メダル載置部に載置されたメダルのずり落ちを規制するように、前記メダル載置部の前側に前記メダルの下端を当止する当止部を設けてなる請求項１記載のメダル載置部を備えた置物。
【請求項３】
前記当止部を前記メダルの下部外周面に係合する形状の係合部としてなる請求項２記載のメダル載置部を備えた置物。
【請求項４】
請求項１〜３いずれかのメダル載置部を備えた置物及び該メダル載置部上に載置されたメダルからなる置物。
【請求項５】
前記メダルが、その外周面が正面視において多角形状のものであり、前記メダルの下端を当止する当止部を前記多角形状のメダルの下部外周面に係合する形状の係合部としてなる請求項４記載の置物。
【請求項６】
前記メダルが、その背面側に反射板が設けられ、該反射板の正面側に無色又は所定の色のガラス又はプラスチックからなる透光性部材が取り付けられ、該透光性部材の外面に複数のカット面が形成され、前記透光性部材の内部に二次元又は三次元彫刻が形成されたものである請求項４又は５記載の置物。
【考案の詳細な説明】
【技術分野】
【０００１】
本考案は、人の成績、功労若しくは善行等の表彰又は物事の記念等のために贈られるメダルを載置可能なメダル載置部を備えた置物、並びに、この置物及び前記メダル載置部上に載置された前記メダルからなる置物に関するものである。
【背景技術】
【０００２】
人の成績、功労若しくは善行等の表彰又は物事の記念等のために贈られるメダルは、一般的に、首掛け用リボンにより首に掛けることができるため、表彰等される者が前記メダルを首に掛けた状態で前記成績等を称えることができるとともに、この状態をカメラ等で撮影することにより記念となるものである。したがって、前記メダルを獲得することは学習者やスポーツの競技者等の目標とされ、学習者の能力向上や競技者の技術向上等のための大きな励みとなっている。
【０００３】
しかし、表彰等された後においては、前記メダルは保護ケース内に収容されて保管されるのが通常であるため、トロフィー又はカップ等に比べて表彰等がされた成績等が顕彰されにくいものである。このような観点から前記メダルの保管状態においても前記成績等が顕彰されやすいように構成したものとして、記念メダルと記念シートとを一体にしてアルバム状としたもの（例えば、特許文献１参照。）、メダルを額縁内に収容してなるもの（例えば、特許文献２参照。）、基台とその上に設けた環状フレームとからなるメダル立ての該環状フレーム内にメダルを収容してなるもの（例えば、特許文献３参照。）等がある。
【０００４】
【特許文献１】登録実用新案第３０１２９５０号公報
【特許文献２】登録実用新案第３１１７７４５号公報
【特許文献３】実公昭６３−３５６５４号公報
【考案の開示】
【考案が解決しようとする課題】
【０００５】
前記メダルは、表彰等された者がその成績等を思い出したとき、あるいは、来客があったとき等において、メダルの保管状態から該メダルを直接手にとって眺めることや首掛け用リボンにより首に掛けることが容易にできれば、表彰された成績等の顕彰のためにより好ましいものである。しかし、特許文献１〜３のような構成では、前記メダルを直接手にとって眺めること及び首に掛けることが容易にできないという問題点がある。
【０００６】
また、特許文献１及び３の構成では、首掛け用リボンを外した状態で保管されるため、メダルを前記アルバム又はメダル立てから取り外した状態であっても、すぐには首に掛けることができないものであるし、また、首掛け用リボンが紛失しやすいという問題点もある。さらに、特許文献２及び３の構成では、日付や記念等の内容が印されることが多いメダルの裏面を見ることができないという問題点もある。
【０００７】
さらにまた、メダルを単に台の上に置く構成では、メダルに埃が付着しやすいという問題点及びメダルが落下物等により損傷しやすいという問題点、並びに、メダルは比較的小形であるのでメダルとメダル以外の部分とを含めた全体としての意匠性及び顕彰性が低いという問題点がある。また、メダルを台の上に置いて透明の保護カバーを設ける構成では、前記メダルに埃が付着しやすいという問題点及びメダルが落下物等により損傷しやすいという問題点は解消されるが、前記全体としての意匠性及び顕彰性が低いという問題点は残存する。
【０００８】
本考案は、このような課題を解決するためになされたものであり、メダルの保管状態から該メダルを直接手にとって表裏面を眺めること及び首掛け用リボンにより首に掛けることが容易にできるとともに、メダルに埃が付着しにくくメダルが落下物等により損傷しにくい、メダル載置部を備えた置物並びにこの置物及び前記メダル載置部上に載置されたメダルからなる置物を得ることを目的とする。さらに、メダル載置部を備えた置物及び該メダル載置部上に載置されたメダル全体としての意匠性及び顕彰性が高い置物を得ることを目的とする。
【課題を解決するための手段】
【０００９】
本考案に係るメダル載置部を備えた置物は、前記課題解決のために、本体の前後方向に貫通する貫通穴を設け、該貫通穴の下側の内壁面を前側が低くなるように傾斜する傾斜面とし、該傾斜面を、メダルの背面が当接した状態で該メダルが載置されるメダル載置部となしたものである。
【００１０】
ここで、前記メダル載置部に載置されたメダルのずり落ちを規制するように、前記メダル載置部の前側に前記メダルの下端を当止する当止部を設けてなると好ましい。
【００１１】
また、前記当止部を前記メダルの下部外周面に係合する形状の係合部としてなると好ましい。
【００１２】
本考案に係る置物は、前記課題解決のために、前記メダル載置部を備えた置物及び該メダル載置部上に載置されたメダルからなるものである。
【００１３】
ここで、前記メダルが、その外周面が正面視において多角形状のものであり、前記メダルの下端を当止する当止部を前記多角形状のメダルの下部外周面に係合する係合部としてなると好ましい。
【００１４】
また、前記メダルが、その背面側に反射板が設けられ、該反射板の正面側に無色又は所定の色のガラス又はプラスチックからなる透光性部材が取り付けられ、該透光性部材の外面に複数のカット面が形成され、前記透光性部材の内部に二次元又は三次元彫刻が形成されたものであると好ましい。
【考案の効果】
【００１５】
本考案に係るメダル載置部を備えた置物は、本体の前後方向に貫通する貫通穴を設け、該貫通穴の下側の内壁面を前側が低くなるように傾斜する傾斜面とし、該傾斜面を、メダルの背面が当接した状態で該メダルが載置されるメダル載置部となしたので、メダルの保管状態から該メダルを直接手にとって眺めること及び首掛け用リボンにより首に掛けることが容易にできるとともに、メダルに埃が付着しにくくメダルが落下物等により損傷しにくい。また、前記本体の表面から裏面にわたって貫通穴が形成されるとともに、該貫通穴の下側の内壁面を前側が低くなるように傾斜する傾斜面としたので、前記置物のフォルムがより立体的なものとなるとともに、前記置物のメダル載置部上にメダルを載置した状態でも、より立体的なフォルムとなる。したがって、前記置物単体の意匠性、又は、前記置物のメダル載置部上にメダルを載置した状態における該置物及びメダル全体としての意匠性及び顕彰性を高めることができる。
【００１６】
また、前記メダル載置部に載置されたメダルのずり落ちを規制するように、前記メダル載置部の前側に前記メダルの下端を当止する当止部を設けてなると、該当止部により前記メダルを前記メダル載置部上に安定かつ確実に保持することができる。
【００１７】
さらに、前記当止部を前記メダルの下部外周面に係合する形状の係合部としてなると、前記置物と前記メダルとの一体性が向上するため、より意匠性を高めることができるとともに、前記メダルを前記メダル載置部上により安定かつ確実に保持することができる。
【００１８】
本考案に係る置物は、前記メダル載置部を備えた置物及び該メダル載置部上に載置されたメダルからなるので、メダルの保管状態から該メダルを直接手にとって眺めること及び首掛け用リボンにより首に掛けることが容易にできるとともに、メダルに埃が付着しにくくメダルが落下物等により損傷しにくい。また、前記メダル載置部を備えた置物本体の表面から裏面にわたって貫通穴が形成されるとともに、該貫通穴の下側の内壁面を前側が低くなるように傾斜する傾斜面としたので、前記メダル載置部を備えた置物のフォルムがより立体的なものとなるとともに、該置物のメダル載置部上に前記メダルを載置した状態でも、より立体的なフォルムとなる。したがって、前記メダル載置部を備えた置物及び該メダル載置部上に載置されたメダルにより構成される置物の意匠性及び顕彰性を高めることができる。
【００１９】
また、前記メダルが、その外周面が正面視において多角形状のものであり、前記メダルの下端を当止する当止部が前記多角形状のメダルの下部外周面に係合する形状をしてなると、前記メダルと前記メダル載置部を備えた置物との一体性が向上するため、より意匠性を高めることができるとともに、前記多角形状のメダルが前記メダル載置部上に載置された状態で該メダルの正面から背面に向かう軸まわりに回転しないため、前記メダルをその上下位置の精確性を保った状態でより安定かつ確実に保持することができる。
【００２０】
さらに、前記メダルが、その背面側に反射板が設けられ、該反射板の正面側に無色又は所定の色のガラス又はプラスチックからなる透光性部材が取り付けられ、該透光性部材の外面に複数のカット面が形成され、前記透光性部材の内部に二次元又は三次元彫刻が形成されたものであると、前記メダル載置部を備えた置物本体の前後方向の貫通穴を通して前記置物本体の表面及び裏面から入射した光が前記メダルの複数のカット面に入射して屈折し、さらに前記反射板により反射するとともに、これらの光が前記彫刻に乱反射して前記複数のカット面から出で、その光を看者が目視するので、前記メダル載置部上に前記メダルが載置された状態で、その装飾性が大きく向上する。したがって、より看者の目を引く構成であるため、さらに意匠性及び顕彰性を高めることができる。
【考案を実施するための最良の形態】
【００２１】
次に、本考案の実施の形態を添付図面に基づいて説明するが、本考案は、添付図面に示された形態に限定されず実用新案登録請求の範囲に記載の要件を満たす実施形態の全てを含むものである。本考案に係るメダル載置部を備えた置物は、該置物本体の前後方向に貫通する貫通穴を設け、該貫通穴の下側の内壁面を前側が低くなるように傾斜する傾斜面とし、該傾斜面を、メダルの背面が当接した状態で該メダルが載置されるメダル載置部となしたことを特徴とするものである。
【００２２】
図１〜図４は本考案の実施の形態に係るメダル載置部を備えた置物並びにこの置物及び前記メダル載置部上に載置されたメダルからなる置物の構成を示す説明図であり、図１はメダル載置部を備えた置物の前記メダル載置部にメダルを載置した状態を示す斜視図、図２（ａ）は本考案の実施の形態に係るメダル載置部を備えた置物の正面図、図２（ｂ）は同じく右側面図、図３は図２（ａ）の矢視Ｘ−Ｘ断面図、図４はメダル載置部を備えた置物とメダルとを分離させた状態を示す斜視図である。
【００２３】
図２〜図４に示すように、本考案の実施の形態に係るメダル載置部を備えた置物１には、前部材３及び後部材４とを連結して構成される本体２の前側Ｆから後側Ｒ（前後方向）に貫通する貫通穴５が設けられ、貫通穴５の下側内壁面５Ｄが前側Ｆが低くなるように傾斜する傾斜面ＳＬとされる。そして、傾斜面ＳＬは、メダル１１の背面１１Ｒが当接した状態でメダル１１を載置することができるメダル載置部６となっている。
【００２４】
また、本体２を構成する前部材３のメダル載置部６の前側には、メダル載置部６に載置されたメダル１１の下端を当止する当止部７が形成されているため、前記メダル１１のずり落ちが規制される。したがって、当止部７により、メダル１１をメダル載置部６上に安定かつ確実に保持することができる。
【００２５】
図４に示すように、メダル１１は、その正面１１Ｆ側に位置する、無色又は所定の色のガラス又はプラスチックからなる透光性部材１４の周囲を枠体１２により囲んでおり、透光性部材１４の背面１１Ｒ側には反射板１３が設けられる。そして、透光性部材１４には、その外面に複数のカット面１５，…が形成されるとともに、内部には二次元又は三次元の彫刻１６が形成される。ここで、彫刻１６は、ＣＯ2レーザー、エキシマレーザー又はＹＡＧレーザー等のレーザー光の焦点位置を制御し、透光性部材１４内の所望位置に微小破壊を形成することにより、所望形状に形成される。このようにして透光性部材１４の内部に形成された彫刻１６に光が当たると乱反射するため、二次元又は三次元の彫刻１６が例えば白く表れて視認される。
【００２６】
また、メダル１１の上部には吊輪取付部１７が設けられ、該吊輪取付部１７に吊輪１９が前後方向に回動可能に取り付けられる。すなわち、吊輪取付部１７に形成された取付孔１８に吊輪１９の端末を挿入することにより、吊輪１９が吊輪取付部１７の取付孔１８まわりにメダル１１に対して前後方向に回動可能となる。そして、吊輪１９には、図示しない首掛け用リボンが取り付けられる。
【００２７】
メダル１１は、その外周面が正面視において多角形（本実施の形態では八角形）状であり、メダル載置部６を備えた置物１の前記当止部７は、前記多角形状のメダル１１の下部外周面に合う形状とされ、該外周面に係合する係合部７Ａとされる。したがって、前記置物１と前記メダル１１との一体性が向上するため、より意匠性を高めることができるとともに、前記メダル１１が前記メダル載置部６上に載置された状態で該メダル１１の正面１１Ｆから背面１１Ｒに向かう軸まわりに回転しないため、前記メダル１１をその上下位置の精確性を保った状態でより安定かつ確実に保持することができる。
【００２８】
以上のような構成により、メダル載置部６を備えた置物１とメダル１１とを分離させた図４の状態から、メダル１１をメダル載置部６に載置して前記置物１と一体化した図１の状態にすることは容易であり、また逆に、図１の状態から図４の状態とすることも容易である。したがって、図１のようなメダル１１の保管状態から該メダル１１を直接手にとって眺めること及び首掛け用リボンにより首に掛けることを容易に行うことができる。また、前記メダル１１の保管状態では、該メダル１１は前記置物１の貫通穴５内に収容されているので、前記メダル１１に埃が付着しにくいとともに、落下物等があっても前記置物１に保護され、前記メダル１１が損傷しにくい。
【００２９】
さらに、前記置物１の本体２の表面から裏面にわたって貫通穴５を形成し、該貫通穴５の下側の内壁面５Ｄを前側が低くなるように傾斜する傾斜面ＳＬとしたので、前記置物１のフォルムがより立体的なものとなるとともに、該置物１のメダル載置部６上にメダル１１を載置した状態でも、より立体的なフォルムとなる。したがって、メダル載置部６を備えた置物１及び該メダル載置部６上に載置されたメダル１１により構成される置物の意匠性及び顕彰性を高めることができる。
【００３０】
さらにまた、メダル１１には、前記のとおり、背面側１１Ｒに反射板１３が設けられ、該反射板１３の正面側に前記透光性部材１４が取り付けられており、透光性部材１４の外面に複数のカット面１５，…が形成され、透光性部材１４の内部には前記彫刻１６が形成されているので、前記置物１の本体２の前後方向の貫通穴５を通して前記本体２の表面及び裏面から入射した光が前記メダル１１の複数のカット面１５，…に入射して屈折し、さらに前記反射板１３により反射するとともに、これらの光が前記彫刻１６に当たって乱反射して前記カット面１５，…から出で、その光を看者が目視するので、メダル載置部６上にメダル１１が載置された状態で、その装飾性が大きく向上する。したがって、より看者の目を引く構成であるため、さらに意匠性及び顕彰性を高めることができる。
【００３１】
図１〜図３に示すように、メダル載置部６を備えた置物１の本体２の上部の前後には、前部材３又は後部材４の表面からの段落ち部９，…が形成され、階段状となっており、貫通穴５の上側から斜め上方に延びる凹条８，８に連結している。したがって、このような特徴のある形態により前記置物１の意匠性が高められているとともに、前記前後の凹条８，８及び段落ち部９，…の部分を把持部１０，１０として、この部分を掴んで前記置物１を安定かつ確実に移動させることができる。また、前記置物１の本体２の前後方向の貫通穴５の上側内壁面５Ｕに指を掛けることによっても、前記置物１を安定かつ確実に移動させることができる。
【００３２】
以上の説明においては、一個の置物１のメダル載置部６に一個のメダル１１を載置する構成について説明したが、一個の置物１に複数のメダル１１，…を載置可能なメダル載置部を設け、該メダル載置部６上に複数のメダル１１，…を並べて載置する構成としてもよい。また、首掛け用リボンを吊輪１９から外し、該首掛け用リボンを保管する収容部を置物１の本体２に設けてもよい。さらに、前記メダルとしては首掛け用リボンを取り付けることができない吊輪取付部１７がないものであってもよいし、前記メダルには、勲章、記章、賞牌等も含まれる。
【図面の簡単な説明】
【００３３】
【図１】本考案の実施の形態に係るメダル載置部を備えた置物の前記メダル載置部にメダルを載置した状態を示す斜視図である。
【図２】本考案の実施の形態に係るメダル載置部を備えた置物の構成を示す説明図であり、（ａ）は正面図、（ｂ）は右側面図である。
【図３】図２（ａ）の矢視Ｘ−Ｘ断面図である。
【図４】メダル載置部を備えた置物とメダルとを分離させた状態を示す斜視図である。
【符号の説明】
【００３４】
１  メダル載置部を備えた置物
２  本体
３  前部材
４  後部材
５  貫通穴
５Ｄ  下側内壁面
５Ｕ  上側内壁面
６  メダル載置部
７  当止部
７Ａ  係合部
８  凹条
９  段落ち部
１０  把持部
１１  メダル
１１Ｆ  正面
１１Ｒ  背面
１２  枠体
１３  反射板
１４  透光性部材
１５  カット面
１６  彫刻
１７  吊輪取付部
１８  取付孔
１９  吊輪
Ｆ  前側
Ｒ  後側
ＳＬ  傾斜面
【図１】
0003123845.tif 000003
【図２】
0003123845.tif 000004
【図３】
0003123845.tif 000005
【図４】
0003123845.tif 000006